(57)【要約】【課題】  リズミカルでかつメリハリの利いたリールのハンドル操作を行うことができ、魚とのファイトをより醍醐味のあるものにできる。【解決手段】  釣り人の腹部Ｂに後グリップ部５を押し当て、リールハンドル９Ａを釣り人の手前側に引き操作する際には、リールシート４が竿尻端側に引き寄せられる状態となるので、コイルスプリング８の付勢力に抗して相対的にリールシート４を装着する竿体２が後グリップ部５に対して変位して竿尻端側に変位する。一方、リールハンドル９Ａを竿先側に押し操作する際には、コイルスプリング８の付勢力と相俟ってリールシート４が竿先側に押しやられる状態となるので、相対的にリールシート４を装着する竿体２が後グリップ部５に対して変位して竿先側に変位する。【選択図】        図２
2007097543.tif 000002
【特許請求の範囲】
【請求項１】
リールシートと竿尻端との間隔を変更可能な機構と前記間隔を拡げる方向に付勢する手段とを設けてある釣り竿。
【請求項２】
前記間隔を変更可能な機構が、リールシートを備える竿体と、その竿体の竿尻端に相対変位可能に装着されている後グリップ部とで構成されている請求項１記載の釣り竿。
【請求項３】
前記間隔を変更可能な機構が、リールを取り付けた状態で、リールシートを前記竿体に対してその軸線方向に相対変位可能に装着して構成されている請求項１記載の釣り竿。
【請求項４】
前記付勢する手段がコイルバネである請求項１から３のうちのいずれか一つに記載の釣り竿。
【請求項５】
前記付勢する手段が、前記竿体の竿尻端と後グリップの内部空間に貯留されるオイル又はエアーの反発力を利用するものである請求項１から３のうちのいずれか一つに記載の釣り竿。
【発明の詳細な説明】
【技術分野】
【０００１】
本発明は、トローリングロッドやジギングロッドに使用される釣り竿に関する。
【背景技術】
【０００２】
トローリングロッド等においては、カジキ等の巨大魚の強烈な引きに耐えながら、その引きが僅かに緩んだ場合に素早く巻上げ操作を行うという、魚とのファイトが釣りの面白さを醸し出している。
また、ジギングロッド等においては、ジグをストレートに素早く移動させながら、途中で浮遊状態に切り換えて魚を誘うという釣り操作を繰り返すものである。
このような、釣り操作を必要とする釣り竿において、リールシートと竿尻端との間隔は、釣り操作時においては固定されていた（特許文献１参照）。
【０００３】
【特許文献１】特開２００３−２９９４２７号公報（段落番号〔００１８〕、図１及び図２）
【発明の開示】
【発明が解決しようとする課題】
【０００４】
そうすると、ファイト中の釣上げ操作やジグの操作性において十分でなく、更に、釣り操作の醍醐味を増すために、釣りの操作だけでなく、竿側での何らかの改善が求められていた。
【０００５】
本発明の目的は、リズミカルでかつメリハリの利いたリールのハンドル操作を行うことができ、魚とのファイトをより醍醐味のあるものにできる釣り竿を提供する点にある。
【課題を解決するための手段】
【０００６】
〔構成〕
請求項１に係る発明の特徴構成は、リールシートと竿尻端との間隔を変更可能な機構と前記間隔を拡げる方向に付勢する手段とを設けてある点にあり、その作用効果は次の通りである。
【０００７】
〔作用〕
つまり、釣り人が自己の腹部等に竿尻端を当て付けて、釣上げるためにリールハンドルを操作すると、竿尻端側に向けてリールハンドルを操作する場合には、リールシートが竿尻端側に向かう力を受けるので、付勢手段の付勢力に抗してリールシートがリールハンドルの回転作動に連れて竿尻端に向けて移動する。
一方、竿尻端側から離れる方向に向けてリールハンドルを操作する場合には、リールシートが竿尻端側から離れる方向に向かう力を受けるので、付勢手段の付勢力とともにリールシートがリールハンドルの回転作動に連れて竿尻端から離れる方向に移動する。
この動作形態を具体的に図示したのが、図２であり、リールハンドル９Ａは軌跡ａで示すように、楕円軌道を移動することとなり、釣り人は、綱引きのような操作感覚で魚とのファイトを楽しむことができる。
【０００８】
〔効果〕
したがって、リールシートと竿尻端との間隔を変更可能な機構と前記間隔を拡げる方向に付勢する手段とを設けるだけの簡単な改造を加えるだけで、釣りの楽しみを増大させることができる。
【０００９】
請求項２に係る発明の特徴構成は、請求項１に係る発明において、前記変更可能な機構が、リールシートを備える竿体と、その竿体の竿尻端に相対変位可能に装着されている後グリップ部とで構成されている点にあり、その作用効果は次の通りである。
【００１０】
〔作用効果〕
つまり、後グリップ部を竿体に対して相対変位可能に構成することによって、竿体に装着されたリールシートと後グリップ部の後端に形成される竿尻端との間隔を変更できるのである。
この場合には、後グリップ部の後端を釣り人の腹部等に当て付けて後グリップ部の移動を規制した状態でリールシートを取付固定した竿体を移動させることとなるので、竿体自体のダイナミックな動きを楽しむことができる。
このような構成を利用すると、次ぎのような使用が可能になる。一方の手で竿体を握り他方の手でリールハンドルを握っている場合に、竿体を付勢力に抗して手前（竿尻）側に操作するとリール自体は竿体とともに手前側に移動するが、他方の手で握られているリールハンドルは相対的に竿先側に移動することとなる。
竿体を手前に引き寄せた状態から竿体に対する引き寄せ力を解放すると、竿体は付勢力によって竿先側に移動する。この場合には、他方の手で握られたリールハンドルは相対的に竿尻側に移動する。
このように、竿体を付勢力に抗して手前側に移動させ、かつ、付勢力を利用して竿体を竿先側に移動させることによって、ハンドル操作に要する操作力を補助できる。
したがって、大型魚を釣上げるためには強力なハンドル操作力が要求される釣りに有用な構造を提供できるに至った。
【００１１】
請求項３に係る発明の特徴構成は、請求項１に係る発明において、変更可能な機構が、リールを取り付けた状態で、リールシートを前記竿体に対してその軸線方向に相対変位可能に装着して構成されている点にあり、その作用効果は次の通りである。
【００１２】
〔作用効果〕
この場合には、リールシートの部分だけが、リールとともに移動することとなるので、竿体自体が動くものに比べて軽快なハンドル操作が可能になり、リールシートを移動させる構造もコンパクトなものでよい。
【００１３】
請求項４に係る発明の特徴構成は、請求項１〜３の内のいずれか一つに係る発明において、前記付勢する手段がコイルバネである点にあり、その作用効果は次の通りである。
【００１４】
〔作用効果〕
付勢手段としてコイルバネを利用しているので、設置位置の長さ等に対する制約を受け難く、コイルバネの線径やコイル径等を変更することによってバネ定数の任意な変更が可能であり、付勢力の設定を任意にできる。
【００１５】
請求項５に係る発明の特徴構成は、請求項１〜３の内のいずれか一つに係る発明において、前記付勢する手段が、前記竿体の竿尻端と後グリップ部の内部空間に貯留されるオイル又はエアーの反発力を利用するものである点にあり、その作用効果は次の通りである。
【００１６】
〔作用効果〕
エアーやオイルが圧縮されることによって、コイルバネと同様の付勢力（反発力）を発揮する。しかも、付勢手段としてコイルバネを利用する場合に比べて、金属や樹脂等の実体的な材料を使用しないエアーやオイルを利用できるので、部品製作に係る負担を軽減できる。
【発明を実施するための最良の形態】
【００１７】
〔第１実施形態〕
シーバス等を釣り上げ対象としたジギングロッドで説明する。図１に示すように、ジギングロッドＡは、竿体２の前半部分に釣り糸ガイド１を取り付けるとともに、竿体２の後半部分に前グリップ部３、リールシート４、後グリップ部５を取り付けて構成されている。
【００１８】
図１及び図２に示すように、竿体２の後端部に尻栓６を螺着するとともに、尻栓６に竿体２の後端部に形成した内ネジ部２Ａと螺合する外ネジ部６Ａを形成するとともに、竿体２の後端面に当接する鍔部６Ｂを形成してある。後グリップ部５は、表面にＥＡＶゴム等を施した金属製又は硬質樹脂製の筒状基材５Ａ、或いは、コルク等で構成されている。
【００１９】
図１に示すように、筒状基材５Ａは、先端側に内向きに膨出する厚肉竿先部５ａを形成するとともに、厚肉竿先部５ａの竿尻側に中間筒状部５ｂを形成し、中間筒状部５ｂの後端位置に外向きに膨出する膨出竿尻部５ｃを形成し、膨出竿尻部５ｃに外ネジ部５ｄを形成して構成されている。
後グリップ部５の後端に、その後グリップ部５の膨出竿尻部５ｃに螺着される腹当て７が装着されることになっており、その腹当て７は、金属製又は硬質樹脂製の本体部７ＡにＥＡＶゴム等の外被部７Ｂを被着させて構成されている。本体部７Ａには内ネジ部７ａを形成し、その内ネジ部７ａを後グリップ部５の外ネジ部５ｄに螺着するように構成してある。
【００２０】
図１に示すように、前記した後グリップ部５を竿体２に装着するには、竿体２の竿尻端に尻栓６を螺着しない状態で後グリップ部５を厚肉竿先部５ａから外嵌して装着し、後グリップ部５を外嵌した後に尻栓６を竿体２の竿尻端に螺着する。そうすると、尻栓６の鍔部６Ｂと後グリップ部５の厚肉竿先部５ａの後端面５ｅとが当接して、後グリップ部５が竿体２の竿尻端より抜け出さないようになっている。
このような構成によって、後グリップ部５は竿体２に対してスライド移動可能に外嵌されることとなり、竿体２に取り付けられているリールシート４と、ジギングロッドＡの竿尻端を構成する後グリップ部５の後端とが相対変位可能に構成されることとなる。この構成を、リールシートと竿尻端との間隔を変更可能な機構と称する。
【００２１】
図１に示すように、上記したように、後グリップ部５を竿体２に対して装着した状態で後グリップ部５の内部空間内にコイルスプリング８を装入し、更に、後グリップ部５の後端に腹当て７を螺着することによって、コイルスプリング８の後端を受け止める構成となっている。
このような構成によって、尻栓６の鍔部６Ｂと後グリップ部５の厚肉竿先部５ａの後端面５ｅとが当接して、後グリップ部５が竿体２の竿尻端から最も突出する状態に設定される。このコイルスプリング８を、リールシートと竿尻端との間隔を拡げる方向に付勢する手段と称する。
付勢する手段としては、コイルスプリング８の代わりに、又は、コイルスプリング８とともにオイルを充填してオイルにスプリング機能を発揮させたり、コイルスプリング８の代わりに、又は、コイルスプリング８とともにエアーを充填してエアーにスプリング機能を発揮させることもできる。
【００２２】
以上のように、図２に示すように、コイルスプリング８によって突出付勢された後グリップ部５は、腹当て７から竿先側に向かう力を受けるとコイルスプリング８の付勢力に抗して竿体２の竿先側に向けて移動して、竿体２に対して相対変位することとなる。力を解除するとコイルスプリング８の付勢力によって竿体２の竿尻端より突出する状態に変位する。
【００２３】
以上のような構成によって、釣りを行っている状態で、巻き取り操作時におけるリール９のリールハンドル９Ａの動きを詳述すると、次ぎのようになる。図２に示すように、釣り人の腹部Ｂに押し当てられて後グリップ部５の移動が規制されているので、リールハンドル９Ａを釣り人の手前側に引き操作する際には、リール９を介してリールシート４が竿尻端側に引き寄せられる状態となるので、コイルスプリング８の付勢力に抗して相対的にリールシート４を装着する竿体２が後グリップ部５に対して変位して竿尻端側に変位する。
一方、リールハンドル９Ａを竿先側に押し操作する際には、コイルスプリング８の付勢力と相俟ってリール９を介してリールシート４が竿先側に押しやられる状態となるので、相対的にリールシート４を装着する竿体２が後グリップ部５に対して変位して竿先側に変位する。
このように、釣り糸を巻取る際に、リールハンドル９Ａの回転向きによってリールシート４と竿尻端との相対位置が変位することとなるので、リールハンドル９Ａは、図２に示すように、楕円状の軌跡ａを描くこととなる。
【００２４】
また、上記構成には、次のような利点があるのである。
一方の手で竿体２を握り他方の手でリールハンドル９Ａを握っている場合に、竿体２をコイルスプリング８の付勢力に抗して手前（竿尻）側に操作するとリール９自体は竿体２とともに手前側に移動するが、他方の手で握られているリールハンドル９Ａは相対的に竿先側に移動することとなる。
竿体２を手前に引き寄せた状態から竿体２に対する引き寄せ力を解放すると、竿体２はコイルスプリング８の付勢力によって竿先側に移動する。この場合には、他方の手で握られたリールハンドル９Ａは相対的に竿尻側に移動する。
このように、竿体２をコイルスプリング８の付勢力に抗して手前側に移動させ、かつ、付勢力を利用して竿体２を竿先側に移動させることによって、ハンドル操作に要する操作力を補助できる。
したがって、大型魚を釣上げるためには強力なハンドル操作力が要求される釣りに有用である。
【００２５】
〔第２実施形態〕
第１実施形態では、リールシート４と竿尻端との間隔を変更可能な機構として、後グリップ部５の内部空間にコイルスプリング８を配置したものを採用したが、この第２実施形態では、リールシート４のみが変位する構成について説明する。図３に示すように、リールシート４は、竿体２に外嵌される筒状シートベース４Ａに固定フード４Ｂを一体形成するとともに、固定フード４Ｂに対向して可動フード４Ｃを螺着する為のネジ部４Ｄを形成して構成されている。
【００２６】
固定フード４Ｂより竿尻側に向けてカバー体４Ｅが設けてあり、リールシート４を竿体２の所定位置に外嵌した状態で、後記するコイルスプリング８をカバーする構成を採っている。
一方、竿体２の筒状シートベース４Ａに対する取り付け位置には、アダプターパイプ２Ｃが外嵌固定され、このアダプターパイプ２Ｃに筒状シートベース４Ａを取り付ける。
【００２７】
アダプターパイプ２Ｃの外周面は、筒状シートベース４Ａの竿軸線方向でのスライド移動を許容するとともに円周方向での回転を阻止すべくＤ型断面形状の取付座２Ｂが形成されている。アダプターパイプ２Ｃに外嵌される筒状シートベース４Ａの内周面もＤ型断面形状に形成されている。これによって、筒状シートベース４Ａは竿軸線方向でのスライド移動を許容するとともに円周方向での回転を阻止されることとなる。
【００２８】
以上のような部品を揃えて、可動フード４Ｃを螺着したシートベース４Ａを竿体２のアダプターパイプ２Ｃに外嵌して装着するとともに、シートベース４Ａの竿先端側に軸用止め輪１０を当接させてシートベース４Ａの竿先側への変位を規制するようにする。一方、固定フード側においては、アダプターパイプ２Ｃにコイルスプリング８を外嵌装着してこのコイルスプリング８でシートベース４Ａを軸用止め輪１０に当接する方向に付勢すべく構成する。コイルスプリング８の竿尻端側には同じく軸用止め輪１０をアダプターパイプ２Ｃに装着してコイルスプリング８の竿尻端を受止めて移動を規制する構成を採っている。
【００２９】
以上のように組立て構成することによって、リールシート４は、一対の軸用止め輪１０，１０とコイルスプリング８とによって、竿先側の軸用止め輪１０に当接規制されており、リールシート４が竿尻側への移動力を受けると、コイルスプリング８の付勢力に抗して竿尻側に移動し、移動力が解除されると、竿尻側にコイルスプリング８の付勢力によって戻される。
【００３０】
このような構成のものを、リール９のハンドル操作時に適用すると、リールハンドル９Ａを釣り人の手前側に引き操作する際には、リール９を介してリールシート４が竿尻端側に引き寄せられる状態となるので、コイルスプリング８の付勢力に抗して相対的にリールシート４が後グリップ部５に対して変位して竿尻端側に変位する。
一方、リールハンドル９Ａを竿先側に押し操作する際には、コイルスプリング８の付勢力と相俟ってリール９を介してリールシート４が竿先側に押しやられる状態となるので、相対的にリールシート４が後グリップ部５に対して変位して竿先側に変位する。
【００３１】
このように、釣り糸を巻取る際に、リールハンドル９Ａの回転向きによってリールシート４と竿尻端との相対位置が変位することとなるので、リールハンドル９Ａは、図２に示すように、楕円状の軌跡ａを描くこととなる。
【００３２】
〔別実施形態〕
（１）  付勢手段としては、コイルスプリング８ではなく、エアーかオイルを採用し、エアーかオイルを後グリップ部５の内部空間内に封入する構成を採ることもできる。
（２）  リールシート４としては、両軸受リールを使用するトリガー式のものであってもよい。
（３）  釣り竿としては、竿体の内部に釣り糸導入空間を形成している中通し竿に本願発明を適用してもよい。
【図面の簡単な説明】
【００３３】
【図１】（イ）は釣り竿の側面図、（ロ）は後グリップ部を竿体の後端に取り付けた状態を示す縦断側面図
【図２】リールハンドルを操作した場合のリールシートの移動とリールハンドルの軌跡を示す側面図
【図３】リールシートが移動する第２実施形態を示し、（イ）はリールシートを自由状態に設定した状態を示す縦断側面図、（ロ）はリールシートを手前に引き寄せた状態を示す縦断側面図、（ハ）はリールシートを示す縦断正面図
【符号の説明】
【００３４】
２            竿体
４            リールシート
２，５        間隔変更可能な機構
５            後グリップ部
８            付勢手段（コイルスプリング）
【図１】
2007097543.tif 000003
【図２】
2007097543.tif 000004
【図３】
2007097543.tif 000005